(57)【要約】      （修正有）【課題】弁当箱におけるパッキン装着構造、特に、木製の曲げわっぱ弁当箱におけるパッキンの装着構造を提供する。【解決手段】容器本体２における上部開口の開口縁部６に対して、蓋体３における天板７の周囲から垂設した周壁８を外嵌させる弁当箱において、前記開口縁部に密着させられるパッキン９を天板の下面の所定位置に装着しており、パッキンは、弾性材により、天板の下面の所定位置に面接触するシート状とされ且つ周壁の内周に沿う環状とされたシート状環状体１０と、環状方向に間隔をあけてシート状環状体から上向きに突設された複数の突起部１１を一体に形成しており、蓋体の天板の下面に設けた取付孔１２に突起部を弾性変形した状態で挿着するように構成されている。【選択図】図３
0003235169.tif 000002
【実用新案登録請求の範囲】
【請求項１】
容器本体と、容器本体の上部開口を施蓋する蓋体とから成る弁当箱において、
前記容器本体(2)は、底板(4)の周囲から立設した側壁(5)の上端部により上部開口の開口縁部(6)を形成し、
前記蓋体(3)は、天板(7)の周囲から垂設した周壁(8)を前記開口縁部(6)に外嵌させられ、前記開口縁部(6)に密着させられるパッキン(9)を天板(7)の下面の所定位置に装着しており、
前記パッキン(9)は、弾性材を一体成形することにより、前記天板の下面の所定位置に面接触するシート状とされ且つ前記周壁(8)の内周に沿う環状とされたシート状環状体(10)と、環状方向に間隔をあけてシート状環状体から上向きに突設された複数の突起部(11)を一体に形成しており、
前記蓋体の天板(7)の下面の所定位置に設けた有底の取付孔(12)に前記突起部(11)を弾性変形した状態で挿着することにより、シート状環状体(10)を天板の下面の所定位置に着脱自在に装着して成ることを特徴とする弁当箱におけるパッキンの装着構造。
【請求項２】
容器本体(2)は、オーバル形状とされた木製の底板(4)の周縁に沿って木製の帯状板を折曲形成した側壁(5)を立設し、前記蓋体(3)は、オーバル形状とされた木製の天板(7)の周縁に沿って木製の帯状板を折曲形成した周壁(8)を垂設し、蓋体の周壁(8)を容器本体の開口縁部(6)の外周側に遊嵌させることにより曲げわっぱ弁当箱を構成しており、前記取付孔(12)は、蓋体の天板(7)の下面の所定位置にドリルにより穿設された穿孔により構成されて成ることを特徴とする請求項１に記載の弁当箱におけるパッキンの装着構造。
【請求項３】
前記パッキンの突起部(11)は、シート状環状体(10)に立設された円柱部(13)と、該円柱部の上端から外周に張出して周設されたリブ(14)を一体に形成しており、前記天板の下面に設けた円形の取付孔(12)の深さＬと内径Ｄに対して、前記円柱部(13)の高さＨ及び外径ｄ１と、前記リブの外径ｄ２は、Ｌ＞Ｈ、ｄ２＞Ｄ＞ｄ１となるように形成されて成ることを特徴とする請求項１又は２に記載の弁当箱におけるパッキン装着構造。
【請求項４】
前記パッキンの突起部を構成する円柱部(13)は、頂面に凹入部(15)を設けることにより円筒部(13a)を形成しており、該円筒部の上端外周に前記リブ(14)を周設すると共に、リブの外周面に上向きに小径とされたテーパ面(14a)を形成して成ることを特徴とする請求項３に記載の弁当箱におけるパッキン装着構造。
【考案の詳細な説明】
【技術分野】
【０００１】
本考案は、弁当箱におけるパッキン装着構造、特に、木製の曲げわっぱ弁当箱においてパッキンの装着を可能としたものに関する
【背景技術】
【０００２】
一般的な弁当箱は、プラスチック製の容器本体をプラスチック製の蓋体により施蓋するものが主流を占めているが、近年、杉材等の柾目単板を折曲加工する伝統工芸技術としての「曲げわっぱ」が注目され、この加工技術を利用した「曲げわっぱ弁当箱」が好評を博している。
【先行技術文献】
【特許文献】
【０００３】
【特許文献１】実用新案登録第３１７３７２５号公報
【特許文献２】実用新案登録第３１１１３６８号公報
【考案の概要】
【考案が解決しようとする課題】
【０００４】
プラスチックの射出成型により製造される弁当箱の場合、容器本体及び蓋体は、金型技術が許す限り、自由な形状に形成することが可能である。このため、一般的には、蓋体の下面に溝部を形成し、弾性材により成形したパッキンを前記溝部に嵌入するようにした構成が採用されている。これにより、蓋体を容器本体に被冠させた施蓋状態において、パッキンが容器本体の開口縁部に密着することにより、容器本体と蓋体の間をシールすることができる。
【０００５】
ところが、木製の曲げわっぱ弁当箱は、伝統工芸品に係る意匠的デザインを表すことが必要であり、しかも、木工技術により製造されるため、プラスチック製の弁当箱のような溝部を蓋体に切削加工することが困難であり、仮に切削加工が可能であるとしても、量産に適しておらず、しかも、歩留まりの点においても問題がある。
【０００６】
このため、曲げわっぱ弁当箱は、現在のところシール用パッキンを設けることができないと考えられており、現に、パッキンを設けた曲げわっぱ弁当箱は提供されていないのが現状である。
【０００７】
本考案は、曲げわっぱ弁当箱においてもパッキンの装着が可能となるように構成した弁当箱におけるパッキン装着構造を提供するものである。
【課題を解決するための手段】
【０００８】
そこで、本考案が手段として構成したところは、容器本体と、容器本体の上部開口を施蓋する蓋体とから成る弁当箱において、前記容器本体は、底板の周囲から立設した側壁の上端部により上部開口の開口縁部を形成し、前記蓋体は、天板の周囲から垂設した周壁を前記開口縁部に外嵌させられ、前記開口縁部に密着するパッキンを天板の下面の所定位置に装着しており、前記パッキンは、弾性材を一体成形することにより、前記天板の下面の所定位置に面接触するシート状とされ且つ前記周壁の内周に沿う環状とされたシート状環状体と、環状方向に間隔をあけてシート状環状体から上向きに突設された複数の突起部を一体に形成しており、前記蓋体の天板の下面の所定位置に設けた有底の取付孔に前記突起部を弾性変形した状態で挿着することにより、シート状環状体を天板の下面の所定位置に着脱自在に装着して成る点にある。
【０００９】
本考案の好ましい実施形態において、容器本体は、オーバル形状とされた木製の底板の周縁に沿って木製の帯状板を折曲形成した側壁を立設し、前記蓋体は、オーバル形状とされた木製の天板の周縁に沿って木製の帯状板を折曲形成した周壁を垂設し、蓋体の周壁を容器本体の開口縁部の外周側に遊嵌させることにより曲げわっぱ弁当箱を構成しており、前記取付孔は、蓋体の天板の下面の所定位置にドリルにより穿設された穿孔により構成されている。
【００１０】
好ましくは、前記パッキンの突起部は、シート状環状体に立設された円柱部と、該円柱部の上端から外周に張出して周設されたリブを一体に形成しており、前記天板の下面に設けた円形の取付孔の深さＬと内径Ｄに対して、前記円柱部の高さＨ及び外径ｄ１と、前記リブの外径ｄ２は、Ｌ＞Ｈ、ｄ２＞Ｄ＞ｄ１となるように形成されている。
【００１１】
更に好ましくは、前記パッキンの突起部を構成する円柱部は、頂面に凹入部を設けることにより円筒部を形成しており、該円筒部の上端外周に前記リブを周設すると共に、リブの外周面に上向きに小径とされたテーパ面を形成している。
【考案の効果】
【００１２】
本考案によれば、弁当箱、特に、木製の曲げわっぱ弁当箱において、パッキンの装着が可能になり、好適にシールすることができるという効果がある。
【図面の簡単な説明】
【００１３】
【図１】本考案の１実施形態に係る弁当箱に関して、容器本体を蓋体により施蓋した状態を示す斜視図である。
【図２】容器本体から蓋体を分離させた状態を示す斜視図である。
【図３】図２に示す容器本体及び蓋体の断面を示す斜視図である。
【図４】蓋体の下面を上向きとした状態に関して、（Ａ）はパッキンが蓋体の下面に装着されている状態を示す斜視図、（Ｂ）はパッキンが蓋体から分離された状態を示す斜視図である。
【図５】パッキンに関して、（Ａ）は突起部を上向きとした状態を示す斜視図、（Ｂ）は突起部の断面を示す斜視図である。
【図６】蓋体の取付孔とパッキンの突起部に関して、（Ａ）は取付孔から突起部を分離した状態を示す断面図、（Ｂ）は取付孔に突起部を挿着した状態を示す断面図である。
【図７】パッキンの作用に関して、（Ａ）は容器本体の中心に蓋体が施蓋されたときの状態を示す断面図、（Ｂ）は容器本体の中心から位置ずれして蓋体が施蓋されたときの状態を示す断面図である。
【考案を実施するための形態】
【００１４】
以下図面に基づいて本考案の好ましい実施形態を詳述する。
【００１５】
図１ないし図３に示すように、弁当箱１は、容器本体２と、容器本体の上部開口を施蓋する蓋体３から成り、この際、木製の曲げわっぱ弁当箱が構成されている。
【００１６】
前記容器本体２は、楕円形ないし長円形のオーバル形状とされた分厚い木板製の底板４の周縁に沿って薄い木板製の帯状板を折曲形成した側壁５を立設し、側壁５の上端部により上部開口の開口縁部６を形成している。尚、側壁５は、帯状単板を折曲すると共に両端部を金具５ａで固着することによりわっぱを形成し、底板４に接着剤で接着されている。
【００１７】
前記蓋体３は、前記底板４と相似形であるがやや大きめのオーバル形状とされた分厚い木板製の天板７の周縁に沿って薄い木板製の帯状板を折曲形成した周壁８を垂設し、周壁８を容器本体２の開口縁部６の外周側に遊嵌させることにより容器本体２の上部開口を施蓋するように構成されている。尚、周壁８は、帯状単板を折曲すると共に両端部を金具８ａで固着することによりわっぱを形成し、天板７に接着剤で接着されている。
【００１８】
曲げわっぱ弁当箱の場合、蓋体３は、周壁８を容器本体２の開口縁部６の外周に遊嵌した状態で施蓋されるので、施蓋状態を保持させるためには、風呂敷に包み込んだり、或いは、図１に示すようなゴムバンド等の抱持具１ａを外装することにより、容器本体２及び蓋体３が抱持される。
【００１９】
そこで、蓋体３は、天板７の下面において周壁８の内側に沿う所定位置にパッキン９を装着しており、容器本体２を施蓋したとき、パッキン９を開口縁部６に密着させるように構成している。
【００２０】
図４ないし図６に示すように、パッキン９は、シリコン樹脂その他のエラストマー等から成る弾性材を一体成形することにより、前記天板７の下面の所定位置に面接触させられるシート状とされ且つ前記周壁８の内周に沿う環状とされたシート状環状体１０と、環状方向に間隔をあけてシート状環状体１０から上向きに突設された複数の突起部１１を一体に形成している。図示実施形態の場合、シート状環状体１０が延びる環状方向（周方向）に間隔をあけて８個の突起部１１が形成されている。
【００２１】
前記突起部１１に対応して、蓋体３における天板７の下面の所定位置には、有底の取付孔１２が設けられており、これにより、パッキン９は、突起部１１を弾性変形した状態で取付孔１２に挿着することにより、シート状環状体１０の全面を天板７の下面に面接触させた状態で着脱自在に装着される。
【００２２】
弁当箱１は、木製の曲げわっぱ弁当箱のため、前記取付孔１２は、木板製の天板７の下面にドリルで穿設された円形の穿孔により形成されている。図示実施形態において、パッキン９に設けられた８個の突起部１１に対応する８個の取付孔１２がボール盤により穿設されている。このため、図示省略しているが、取付孔１２の内周面には木質繊維が毛羽立ち状態で残存しており、取付孔１２は、必ずしも真円とされていない。
【００２３】
パッキン９の突起部１１は、シート状環状体１０に立設された円柱部１３と、該円柱部１３の上端から外周に張出して周設されたリブ１４を一体に形成している。図６（Ａ）に示すように、円柱部１３の外径ｄ１とリブ１４の外径ｄ２は、シート状環状体１０の幅Ｗに対して、Ｗ＞ｄ２＞ｄ１となるように形成されている。また、取付孔１２の深さＬと内径Ｄに対して、Ｌ＞Ｈ、ｄ２＞Ｄ＞ｄ１となるように形成されている。
【００２４】
本考案の好ましい実施形態において、前記突起部１１を構成する円柱部１３は、頂面に凹入部１５を設けることにより円筒部１３ａを形成しており、該円筒部１３ａの上端外周に周設されたリブ１４の外周面には、上向きに小径とされたテーパ面１４ａが形成されており、テーパ面１４ａ最小径部（上端部）の外径は、円柱部１３の外径ｄ１と等しくなる（つまり、取付孔１２の内径Ｄよりも小さくなる）ように形成されている。
【００２５】
このため、突起部１１は、ドリルで穿設された取付孔１２が内周面を平滑とする真円形に形成されていなくても、リブ１４のテーパ面１４ａをガイドとして取付孔１２に好適に挿入することができ、その際、円筒部１３ａとリブ１４の外径ｄ２とされた大径部が求心方向に弾性変形された状態で取付孔１２の内部に好適に弾着される。
【００２６】
そして、ユーザが弁当箱１を洗浄するためパッキン９を取外す必要があるときは、隣り合う突起部１１、１１の間において、シート状環状体１０と天板７の間に指先を挿入することができるので、指先でシート状環状体１０を天板７から離反させることにより、突起部１１を簡単容易に取付孔１２から抜き取ることができる。
【００２７】
曲げわっぱ弁当箱１は、使用時において、食材を収容した容器本体２の開口縁部６に対して蓋体３の周壁８が遊嵌状態で外嵌され、ゴムバンド等の抱持具１ａを外装することにより、施蓋状態を保持される。そこで、容器本体２の側壁５と蓋体３の周壁８の間には、全周にわたり隙間Ｓが形成されており、従って、蓋体３は、隙間Ｓに相当して、横向きに位置ずれを生じやすい。
【００２８】
この点に関して、蓋体３の天板７に装着されたパッキン９は、上述のような広い幅Ｗを有するシート状のシート状環状体１０を天板７の下面に面接触させており、しかも、周壁８の内周に沿って近接状態で配置されている。このため、図７（Ａ）に示すように、蓋体３が容器本体２の中心に位置して施蓋されているときはもとより、図７（Ｂ）に示すように、蓋体３が容器本体２の中心から横向きに位置ずれして施蓋されているときでも、常に、シート状環状体１０を開口縁部６に好適に密着させており、所期のシール効果を果たすことができる。
【符号の説明】
【００２９】
１  弁当箱
１ａ  抱持具
２  容器本体
３  蓋体
４  底板
５  側壁
５ａ  金具
６  開口縁部
７  天板
８  周壁
８ａ  金具
９  パッキン
１０  シート状環状体
１１  突起部
１２  取付孔
１３  円柱部
１３ａ  円筒部
１４  リブ
１４ａ  テーパ面
１５  凹入部
Ｓ  隙間
【図１】
0003235169.tif 000003
【図２】
0003235169.tif 000004
【図３】
0003235169.tif 000005
【図４】
0003235169.tif 000006
【図５】
0003235169.tif 000007
【図６】
0003235169.tif 000008
【図７】
0003235169.tif 000009